(57)【要約】【課題】耐力壁としての機能を維持しつつ、経済性及び施工性の向上を図ってコア壁を構築することが可能なコア壁の施工方法及びコア壁を提供する。【解決手段】コア壁の端部、またはコア壁の端部及び隅角部、交差部となる部分に、高強度コンクリートを用いた柱状の高強度部３ａを構築し、高強度部３ａの間の部分に、高強度コンクリートよりも強度が低い普通強度のコンクリートを打設して普通強度部３ｂを構築し、高強度部３ａと普通強度部３ｂを一体に形成してコア壁を構築する。【選択図】図４
2010065381.tif 000002
【特許請求の範囲】
【請求項１】
建物の内部に貫設されるコア部を形成するコア壁の施工方法であって、
前記コア壁の端部、または前記コア壁の端部及び隅角部、交差部となる部分に、高強度コンクリートを用いた柱状の高強度部を構築し、
前記高強度部の間の部分に、前記高強度コンクリートよりも強度が低い普通強度のコンクリートを打設して普通強度部を構築し、前記高強度部と前記普通強度部を一体に形成して前記コア壁を構築することを特徴とするコア壁の施工方法。
【請求項２】
請求項１記載のコア壁の施工方法において、
プレキャストコンクリート部材を用いて前記高強度部を構築することを特徴とするコア壁の施工方法。
【請求項３】
建物の内部に貫設されるコア部を形成するコア壁であって、
前記コア壁の端部、または前記コア壁の端部及び隅角部、交差部となる部分に、高強度コンクリートを用いて構築された柱状の高強度部が設けられ、
前記高強度部の間の部分に、前記高強度コンクリートよりも強度が低い普通強度のコンクリートを打設して構築された普通強度部が設けられ、前記高強度部と前記普通強度部を一体に形成して構築されていることを特徴とするコア壁。
【請求項４】
請求項３記載のコア壁において、
前記高強度部にプレキャストコンクリートが用いられていることを特徴とするコア壁。
【発明の詳細な説明】
【技術分野】
【０００１】
本発明は、例えばマンションやオフィスビルなどの建物の内部に貫設されるコア部を形成するコア壁の施工方法及びコア壁に関する。
【背景技術】
【０００２】
従来、マンションやオフィスビルなどの高層建物には、その内部に例えばエレベーターや階段室などとして利用されるコア部を貫設し、このコア部を形成する鉄筋コンクリート製のコア壁を耐力壁とし、地震時に作用した地震力の大部分をコア壁で負担するようにして構築したものがある（例えば、特許文献１、特許文献２参照）。また、コア壁には、施工性の向上を図るために、部分的にＰＣａ化（プレキャスト化）して構築したものもある。
【特許文献１】特開平７−２５９２３４号公報
【特許文献２】特開平１１−４４１２０号公報
【発明の開示】
【発明が解決しようとする課題】
【０００３】
ところで、この種のコア壁は、通常、全体が高強度コンクリートを用いて構築され、部分的にＰＣａ化する場合においても、ＰＣａ化する部分とコンクリートを現場打設する部分が同種・同強度の高強度コンクリートを用いて構築されている。
【０００４】
しかしながら、経済性の面から、可能な限り普通強度のコンクリート（高強度コンクリートよりも強度が低いコンクリート）を用いてコア壁を構築することが強く望まれていた。また、コア部を備える建物を構築する際には、コア壁用のコンクリートと床や梁用のコンクリートの強度が異なることが多いため、コア壁と床や梁の境界部にラス型枠などの止め枠を設けてコンクリートを打ち分けることが必要になり、これが作業効率を低下させる要因となっていた。
【０００５】
本発明は、上記事情に鑑み、耐力壁としての機能を維持しつつ、経済性及び施工性の向上を図ってコア壁を構築することが可能なコア壁の施工方法及びコア壁を提供することを目的とする。
【課題を解決するための手段】
【０００６】
上記の目的を達するために、この発明は以下の手段を提供している。
【０００７】
本発明のコア壁の施工方法は、建物の内部に貫設されるコア部を形成するコア壁の施工方法であって、前記コア壁の端部、または前記コア壁の端部及び隅角部、交差部となる部分に、高強度コンクリートを用いた柱状の高強度部を構築し、前記高強度部の間の部分に、前記高強度コンクリートよりも強度が低い普通強度のコンクリートを打設して普通強度部を構築し、前記高強度部と前記普通強度部を一体に形成して前記コア壁を構築することを特徴とする。
【０００８】
また、本発明のコア壁は、建物の内部に貫設されるコア部を形成するコア壁であって、前記コア壁の端部、または前記コア壁の端部及び隅角部、交差部となる部分に、高強度コンクリートを用いて構築された柱状の高強度部が設けられ、前記高強度部の間の部分に、前記高強度コンクリートよりも強度が低い普通強度のコンクリートを打設して構築された普通強度部が設けられ、前記高強度部と前記普通強度部を一体に形成して構築されていることを特徴とする。
【０００９】
上記のコア壁の施工方法及びコア壁の発明においては、コア壁の端部、またはコア壁の端部及び隅角部、交差部となる部分に、高強度コンクリートを用いて構築した高強度部を備えてコア壁が構築されるため、コア壁を曲げ破壊先行となるように設計しておけば、高強度部の間の部分に、普通強度のコンクリートで形成した普通強度部が設けられている場合においても、コア壁が水平力を負担する際に高強度部に生じる応力集中に対して耐力が確保され、この高強度部によって耐力壁としての機能を確実に維持することが可能になる。そして、このように、高強度部の間の部分に普通強度のコンクリートを打設してコア壁を構築することで、耐力壁としての機能を維持しつつ、経済性の向上を図ることが可能になる。
【００１０】
また、高強度部の間の部分に普通強度部を設けてコア壁を構築することにより、普通強度部のコンクリートとして床や梁用のコンクリートと同種・同強度のコンクリートを用いることが可能になる。これにより、コア壁の普通強度部と床や梁の境界部にコンクリートの止め枠を設ける必要がなくなり、また、コア壁の普通強度部と床や梁のコンクリートを同時に打設することが可能になり、施工性を向上させることが可能になる。
【００１１】
また、本発明のコア壁の施工方法においては、プレキャストコンクリート部材を用いて前記高強度部を構築することが望ましい。
【００１２】
さらに、本発明のコア壁においては、高強度部にプレキャストコンクリートが用いられていることが望ましい。
【００１３】
これらコア壁の施工方法及びコア壁の発明においては、プレキャストコンクリート部材を所定位置に設置することで容易に高強度部を構築することが可能になり、高強度部ひいてはコア壁の施工性の向上を図ることが可能になる。また、プレキャストコンクリート部材を所定位置に設置するという簡便な作業で高強度部を構築するとともに普通強度部の位置決めがなされる。このため、普通強度部の構築時に、所定位置に設置した隣り合う高強度部の間への鉄筋の配筋作業が容易になるとともに、隣り合う高強度部の互いに同方向を向く面に型枠の端部を面接触させることで、容易に型枠を所定位置に設置することが可能になる。これにより、鉄筋、型枠の組立効率も向上し、さらなる施工性の向上を図ることが可能になる。
【発明の効果】
【００１４】
本発明のコア壁の施工方法及びコア壁によれば、コア壁の端部、またはコア壁の端部及び隅角部、交差部となる部分に、高強度コンクリートを用いて構築した高強度部を備えてコア壁が構築されるため、高強度部の間の部分に、普通強度のコンクリートを打設して普通強度部を設けた場合においても、コア壁が水平力を負担する際に高強度部に生じる応力集中に対して耐力が確保され、この高強度部によって耐力壁としての機能を確実に維持することが可能になる。これにより、高強度部の間の部分に普通強度のコンクリートを打設してコア壁を構築することで、耐力壁としての機能を維持しつつ、経済性の向上を図ることが可能になる。
【００１５】
また、高強度部の間の部分に普通強度部を設けてコア壁を構築することにより、普通強度部のコンクリートとして床や梁用のコンクリートと同種・同強度のコンクリートを用いることが可能になる。これにより、コア壁の普通強度部と床や梁の境界部にコンクリートの止め枠を設ける必要がなくなり、また、コア壁の普通強度部と床や梁のコンクリートを同時に打設することが可能になり、施工性を向上させることが可能になる。
【発明を実施するための最良の形態】
【００１６】
以下、図１から図４を参照し、本発明の一実施形態に係るコア壁の施工方法及びコア壁について説明する。
【００１７】
はじめに、本実施形態の建物１は、例えばマンションやオフィスビルなどの高層建物であり、図１に示すように、その内部に例えばエレベーターや階段室などとして利用されるコア部２を貫設し、このコア部２を形成する耐力壁としての複数のコア壁３を備えて構築される。
【００１８】
複数のコア壁３は、図１から図３に示すように、一の字状、Ｌ字状、Ｔ字状など種々の形状で形成され、コア部２に複数の開口部を形成するように配設されている。また、これら種々の形状で形成された各コア壁３は、その端部、または端部及び隅角部、交差部となる部分が柱状の高強度部３ａとされ、高強度部３ａの間の部分が普通強度部３ｂとされ、高強度部３ａと普通強度部３ｂを一体形成して構築されている。
【００１９】
そして、高強度部３ａは、圧縮強度が例えば６０Ｎ／ｍｍ２程度の高強度コンクリートを用いて柱状に形成され、本実施形態においては、この高強度部３ａが鉄筋コンクリート製のＰＣａ部材（プレキャストコンクリート部材）を用いて構築されている。
【００２０】
また、普通強度部３ｂは、圧縮強度が例えば４８Ｎ／ｍｍ２程度の高強度部３ａの高強度コンクリートよりも強度が低い普通強度のコンクリートを用いて形成され、この普通強度部３ｂは、普通強度のコンクリートを現場打設して構築されている。また、本実施形態の普通強度部３ｂは、建物１の床や梁と同種・同強度のコンクリート（普通強度のコンクリート）を用いて構築されている。
【００２１】
ついで、上記構成からなるコア壁３を構築する方法について説明するとともに、本実施形態のコア壁３の施工方法及びコア壁３の作用及び効果について説明する。
【００２２】
本実施形態のコア壁３を構築する際には、はじめに、図４（ａ）に示すように、高強度コンクリートを用いて柱状に形成され、且つコア壁３の厚さと同等の厚さで形成された鉄筋コンクリート製のＰＣａ部材を、コア壁３の端部、またはコア壁３の端部及び隅角部、交差部となる部分の所定位置に設置する。このようにＰＣａ部材を所定位置に設置するという簡便な作業で高強度部３ａが構築される。また、このＰＣａ部材を所定位置に設置することによって、普通強度部３ｂの位置が決められることになる。
【００２３】
ついで、図４（ｂ）に示すように、高強度部３ａの間の部分に鉄筋ユニット４を設置するとともに（普通強度部３ｂの鉄筋を配筋するとともに）、この鉄筋ユニット４を高強度部３ａの一側面（接合端面）から突設された鉄筋５に繋ぎ、高強度部３ａと一体にする。このとき、隣り合う高強度部３ａが所定位置に設置され、普通強度部３ｂの位置決めがなされているため、隣り合う高強度部３ａの間に鉄筋ユニット４を設置するという簡便な作業で普通強度部３ｂの鉄筋の配筋作業（組立作業）が行える。なお、鉄筋ユニット４には、上階に構築するコア壁３の鉄筋と接続するための継手（機械式継手４ａ）が取り付けられている。
【００２４】
そして、このように鉄筋ユニット４を設置した段階で、図４（ｃ）に示すように、普通強度部３ｂのコンクリートを打設するための型枠６を設置する。このとき、高強度部３ａがコア壁３の厚さと同等の厚さで形成されているため、隣り合う高強度部３ａの互いに同方向を向く側面に型枠６の端部を面接触させることで、容易に型枠６が所定位置に設置される。このため、型枠６の設置作業（組立作業）が容易に行える。
【００２５】
ついで、型枠６を所定位置に設置した段階で、図４（ｄ）に示すように、型枠６内にコンクリートポンプなどを用いて普通強度のコンクリート７を打設する。このとき、本実施形態の普通強度部３ｂが、建物１の床や梁と同種・同強度のコンクリートを用いて構築されるため、普通強度部３ｂのコンクリート７を打設すると同時に、床や梁のコンクリートの打設作業が行える。また、コア壁３の普通強度部３ｂと床や梁のコンクリート７が同種・同強度であることによって、普通強度部３ｂと床や梁のコンクリートを打ち分ける必要がなくなり、これら普通強度部３ｂと床や梁の境界部にラス型枠などの止め枠を設置する必要がなくなる。このため、効率的にコンクリートの打設作業が行える。
【００２６】
ついで、打設した普通強度部３ｂのコンクリート７を所定期間養生した段階で、型枠６を解体し、端部、または端部及び隅角部、交差部となる部分の高強度部３ａと、高強度部３ａの間の部分の普通強度部３ｂとが一体形成されてなる本実施形態のコア壁３が構築される。
【００２７】
そして、本実施形態のコア壁３は、普通強度部３ｂに高強度コンクリートよりも強度が低いコンクリート７を用いて構築されているため、全てが高強度コンクリートを用いて構築される従来のコア壁と比較して、低コストで構築される。また、このコア壁３においては、コア壁３の端部、またはコア壁３の端部及び隅角部、交差部となる部分に、高強度コンクリートを用いて構築した高強度部３ａを備えて構築されているため、コア壁３を曲げ破壊先行となるように設計しておけば、高強度部３ａの間の部分に、普通強度のコンクリート７で形成した普通強度部３ｂが設けられている場合においても、コア壁３が水平力を負担する際に高強度部３ａに生じる応力集中に対して耐力が確保される。このため、高強度部３ａによって耐力壁としての機能が確実に維持される。
【００２８】
したがって、本実施形態のコア壁３の施工方法及びコア壁３においては、コア壁３の端部、またはコア壁３の端部及び隅角部、交差部となる部分に、高強度コンクリートを用いて構築した高強度部３ａを備えてコア壁３が構築されるため、コア壁３を曲げ破壊先行となるように設計しておけば、高強度部３ａの間の部分に、普通強度のコンクリート７で形成した普通強度部３ｂが設けられている場合においても、コア壁３が水平力を負担する際に高強度部３ａに生じる応力集中に対して耐力が確保され、この高強度部３ａによって耐力壁としての機能を確実に維持することが可能になる。そして、このように、高強度部３ａの間の部分に普通強度のコンクリート７を打設してコア壁３を構築することで、耐力壁としての機能を維持しつつ、経済性の向上を図ることが可能になる。
【００２９】
また、高強度部３ａの間の部分に普通強度部３ｂを設けてコア壁３を構築することにより、普通強度部３ｂのコンクリート７として床や梁用のコンクリートと同種・同強度のコンクリートを用いることが可能になる。これにより、コア壁３の普通強度部３ｂと床や梁の境界部にコンクリートの止め枠を設ける必要がなくなり、また、コア壁３の普通強度部３ｂと床や梁のコンクリートを同時に打設することが可能になり、施工性を向上させることが可能になる。
【００３０】
さらに、ＰＣａ部材を用いて高強度部３ａを構築することによって、ＰＣａ部材を所定位置に設置することで容易に高強度部３ａを構築することが可能になり、高強度部３ａひいてはコア壁３の施工性の向上を図ることが可能になる。また、ＰＣａ部材を所定位置に設置するという簡便な作業で高強度部３ａを構築するとともに普通強度部３ｂの位置決めがなされる。このため、普通強度部３ｂの構築時に、所定位置に設置した隣り合う高強度部３ａの間への鉄筋４の配筋作業が容易になるとともに、隣り合う高強度部３ａの互いに同方向を向く面に型枠６の端部を面接触させることで、容易に型枠６を所定位置に設置することが可能になる。これにより、鉄筋４、型枠６の組立効率も向上し、さらなる施工性の向上を図ることが可能になる。
【００３１】
以上、本発明に係るコア壁の施工方法及びコア壁の一実施形態について説明したが、本発明は上記の実施形態に限定されるものではなく、その趣旨を逸脱しない範囲で適宜変更可能である。例えば、本実施形態では、コア壁３の高強度部３ａがＰＣａ部材であるものとしたが、この高強度部３ａを、普通強度部３ｂと同様に高強度コンクリートを現場打設して構築するようにしてもよい。この場合においても、普通強度部３ｂに先行して高強度部３ａを構築し、普通強度部３ｂの構築時に、高強度部３ａを利用して型枠６を設置したり、普通強度部３ｂと床や梁のコンクリートを同時に打設することで、本実施形態と同様の効果を得ることが可能である。
【００３２】
また、本実施形態では、高強度部３ａを構築した後に、高強度部３ａの間の部分に鉄筋ユニット４を挿入設置し、型枠６を設置するとともにコンクリート７を打設して普通強度部３ｂを構築するものとしたが、例えば図１及び図５に示すように、スパンが短いコア壁３（Ｓ３）を構築するような場合には、高強度部３ａの間が狭く、高強度部３ａの間に鉄筋ユニット４を挿入して設置することが困難になる。このような場合には、予め高強度部３ａ同士を鉄筋５で接続しておき、この鉄筋５を普通強度部３ｂの鉄筋４として、型枠６の設置、普通強度部３ｂのコンクリート７の打設を行い、普通強度部３ｂを構築すればよい。
【図面の簡単な説明】
【００３３】
【図１】本発明の一実施形態に係る建物のコア部（コア壁）を示す平面図である。
【図２】本発明の一実施形態に係るコア壁を示す斜視図であり、一の字状のコア壁を示す図である。
【図３】本発明の一実施形態に係るコア壁を示す斜視図であり、Ｔ字状のコア壁を示す図である。
【図４】本発明の一実施形態に係るコア壁の施工方法を示す斜視図である。
【図５】本発明の一実施形態に係るコア壁を示す斜視図であり、短スパンのコア壁を示す図である。
【符号の説明】
【００３４】
１    建物
２    コア部
３    コア壁
３ａ  高強度部（プレキャストコンクリート部材）
３ｂ  普通強度部
４    鉄筋ユニット（普通強度部の鉄筋）
５    鉄筋
６    型枠
７    普通強度のコンクリート
【図１】
2010065381.tif 000003
【図２】
2010065381.tif 000004
【図３】
2010065381.tif 000005
【図４】
2010065381.tif 000006
【図５】
2010065381.tif 000007